(57)【特許請求の範囲】
【請求項１】
垂直に起立する背面部を有する本体と、この本体背面部の裏面側に設けられ、一枚の帯状プラスチックシートを水平な折り目で曲成することにより形成された可撓性の係合用ガイドとを備え、別に設けられるベース体の係合用凹条溝に、上記係合用ガイドを係合させることにより、上記ベース体に着脱自在に取り付けられる陳列具であって、上記係合用ガイドが、本体背面部に取り付けられる取り付け面部と、上記取り付け面部の上端縁から斜め下に延びる下り傾斜面部と、その下端縁から上向きに折り返される第１の折り返し面部と、上記第１の折り返し面部の上端縁から背面部に向かって下向きに折り返される第２の折り返し面部と、上記第２の折り返し面部の下端縁から上記本体背面部に沿って上向きに折り返されその上端部が上記取り付け面部と下り傾斜面部とで形成される角部の内側に入り込む第３の折り返し面部とを備えた構造になっており、上記第１の折り返し面部と第２の折り返し面部とで形成される角部が、上記ベース体の凹状溝の開口上縁部から溝内側に入り込み、上記第２の折り返し面部と第３の折り返し面部とで形成される角部が、上記ベース体の凹状溝の開口下縁部から溝内側に入り込むことにより、ベース体の凹状溝と係合するようになっていることを特徴とする陳列具。
【請求項２】
上記本体が、商品宣伝用リーフレットを保持するための有底筒状箱体である請求項１記載の陳列具。
【発明の詳細な説明】
【０００１】
【発明の属する技術分野】
本発明は、陳列棚の棚板前端面や、陳列用の壁面に、着脱自在に取り付けられる陳列具に関するものである。
【０００２】
【従来の技術】
従来から、化粧品等を陳列する場合、商品の陳列だけでなく、図９に示すように、商品販売促進用のリーフレットやキャンペーン応募用のはがき等１を、有底筒状の箱体２に入れて、商品陳列台の近傍やレジの横に載置したり、陳列棚の棚板上に、商品とともに並べて陳列したりすることが行われている。
【０００３】
【発明が解決しようとする課題】
しかしながら、上記のように、リーフレットやはがき等１を、箱体２に入れて並べるだけでは、商品との関連性が弱く、顧客に対するアピール度が乏しいという問題がある。とりわけ、陳列棚の棚板上に箱体２を並べる場合、箱体２の位置が棚板と棚板の間に挟まれた場所になっていると、箱体２が奥まった感じになり印象が弱くなる上、上側の棚板が邪魔になって、箱体２の中からはがき等１を取り出しにくいという問題がある。さらに、上記箱体２は、ただ置いてあるだけであるため、顧客がはがき等１を取り出す際に箱体２が動きやすく、整然とした陳列を乱してしまうという問題もある。
【０００４】
本発明は、このような事情に鑑みなされたもので、リーフレットやはがき等の商品関連品や、メインとなる陳列商品の関連商品であって小さいもの等を、手に取りやすく、しかも印象的に陳列することのできる陳列具の提供をその目的とする。
【０００５】
【課題を解決するための手段】
上記の目的を達成するため、本発明は、垂直に起立する背面部を有する本体と、この本体背面部の裏面側に設けられ、一枚の帯状プラスチックシートを水平な折り目で曲成することにより形成された可撓性の係合用ガイドとを備え、別に設けられるベース体の係合用凹条溝に、上記係合用ガイドを係合させることにより、上記ベース体に着脱自在に取り付けられる陳列具であって、上記係合用ガイドが、本体背面部に取り付けられる取り付け面部と、上記取り付け面部の上端縁から斜め下に延びる下り傾斜面部と、その下端縁から上向きに折り返される第１の折り返し面部と、上記第１の折り返し面部の上端縁から背面部に向かって下向きに折り返される第２の折り返し面部と、上記第２の折り返し面部の下端縁から上記本体背面部に沿って上向きに折り返されその上端部が上記取り付け面部と下り傾斜面部とで形成される角部の内側に入り込む第３の折り返し面部とを備えた構造になっており、上記第１の折り返し面部と第２の折り返し面部とで形成される角部が、上記ベース体の凹状溝の開口上縁部から溝内側に入り込み、上記第２の折り返し面部と第３の折り返し面部とで形成される角部が、上記ベース体の凹状溝の開口下縁部から溝内側に入り込むことにより、ベース体の凹状溝と係合するようになっている陳列具を第１の要旨とする。
【０００６】
また、本発明は、上記陳列具のなかでも、特に、上記本体が、商品宣伝用リーフレットを保持するための有底筒状箱体である陳列具を第２の要旨とする。
【０００７】
【発明の実施の形態】
つぎに、本発明の実施の形態について説明する。
【０００８】
図１は、本発明を、化粧品に関するキャンペーンの応募はがきを兼ねたリーフレット１０を多数枚保持した状態で、その化粧品の陳列棚の近傍に陳列する陳列具に適用した一実施の形態を示している。この陳列具は、リーフレット１０を保持するための本体１１と、この本体１１の背面部１１ａの裏面側に設けられる係合用ガイド１２とで構成されている。
【０００９】
上記本体１１は、１枚の厚紙（厚み０．８ｍｍ）を所定形状に切り抜いて有底四角筒状に組み立てて形成されており、その正面部１１ｂの高さが、リーフレット１０の取り出しやすさを考慮して、背面部１１ａよりも低く設定されている。
【００１０】
また、上記係合用ガイド１２は、上下方向に延びる帯状の透明プラスチックシート（厚み０．７ｍｍ）を、４本の水平な折り目で曲成することにより形成されており、その曲成された第１面が、取り付け面部１３として、上記本体１１の背面部１１ａの裏面略中央部に貼付されている。そして、上記取り付け面部１３の上端縁を山折り目１４として、そこから斜め下に延びる下り傾斜面部１５が形成され、上記下り傾斜面部１５の下端縁を谷折り目１６として、そこから上向きに折り返される第１の折り返し面部１７が形成されている。
【００１１】
また、上記第１の折り返し面部１７の上端縁を山折り目１８として、そこから本体１１の背面部１１ａに向かって下向きに折り返される第２の折り返し面部１９が形成され、背面部１１ａの下端縁近傍に達した上記第２の折り返し面部１９の下端縁を山折り目２０として、そこから背面部１１ａに沿って上向きに折り返される第３の折り返し面部２１が形成されている。なお、上記第３の折り返し面部２１の上端部は、上記取り付け面部１３と下り傾斜面部１５とで構成される角部の内側に入り込むようになっている。
【００１２】
上記陳列具は、例えば図２に示すように、大型の陳列台の棚板３０に、その前端面３０ａに取り付けられるプライスレール３１を利用して、着脱自在に取り付けることができる。
【００１３】
すなわち、上記棚板３０には、商品名や値段を表示したプライスカード４０を嵌入保持することのできる凹状溝３２を備えたプライスレール３１が、その係合用凹部３３を棚板３０の前端面３０ａに嵌合させた状態で取り付けられている。なお、上記凹状溝３２の溝底は、プライスカード４０の表示が見やすくなるよう、手前側に湾曲突出した形状になっている。
【００１４】
一方、上記陳列具の係合用ガイド１２は、可撓性のプラスチックシートで形成されているため、第１の折り返し面部１７と第２の折り返し面部１９とで形成される角部Ｐと、第２の折り返し面部１９と第３の折り返し面部２１とで形成される角部Ｑを、上下方向から挟んで押圧すると、第２の折り返し面部１９が円弧状に撓んで、両角部Ｐ，Ｑの間隔が狭まるようなっている。
【００１５】
したがって、図３（ａ）に示すように、まず、上記係合用ガイド１２の下側の角部Ｑを、上記プライスレール３１の凹状溝３２の開口下端縁部から溝内側に差し込み、つぎに、図３（ｂ）に示すように、上側の角部Ｐを下向きに押圧して、第２の折り返し面部１９を円弧状に撓ませながら、凹状溝３２の開口上端縁部に差し込むことにより、係合用ガイド１２全体を、プライスレール３１に嵌入保持させることができる。
【００１６】
このようにして取り付けられた陳列具は、図４に示すように、棚板３０の前端面３０ａに、プライスレール３１を介して、安定的に保持されており、しかも、棚板３０の前端面３０ａよりも手前に突出した位置に配置されるため、印象が強く、棚板３０上に陳列される化粧品との関連性も、顧客に強くアピールすることができる。また、本体１１内のリーフレット１０を手前に取り出しやすく、その取り出し動作によっても、陳列具の位置が動かず、陳列のバランスが崩れることがない。特に、この例では、本体１１が、リーフレット１０の束の重みで、わずかに手前に傾き気味に保持されるため、とりわけリーフレット１０を取り出しやすくなっている。これは、係合用ガイド１２を、本体１１の背面部１１ａの中央よりやや下側に取り付けているからである。
【００１７】
なお、上記係合用ガイド１２は、必ずしも本体１１の背面部１１ａの、中央よりやや下側に取り付ける必要はなく、その取り付け位置は、取り付け相手となる凹状溝３２の溝形状や、本体１１に保持させる物品の種類等を勘案して、陳列具全体がバランスよく、安定的に取り付けられるような位置に設定される。
【００１８】
また、上記係合用ガイド１２の、折り目によって形成される各面部（１３，１５，１７，１９，２１）の折り幅も、上記と同様の観点から、適宜に設定される。ただし、第３の折り返し面部２１の上端部は、取り付け面部１３と下り傾斜面部１５とで形成される角部（図１においてＲで示す）の内側に入り込むようになっていなければ、全体を安定的に保持することができない。すなわち、上記第３の折り返し面部２１の上端部が、角部Ｒの内側に入り込んで係合することにより、本体１１がリーフレット１０の束の重みで下に下がることを阻止するからである。
【００１９】
そして、上記の例では、本体１１が、リーフレット１０を保持するためのものであり、有底筒状の箱体形状になっているが、本発明において、本体１１は、特に限定されるものではなく、少なくとも垂直に起立する背面部１１ａを備えたものであれば、どのようなものであっても差し支えない。
【００２０】
例えば、本体１１が、図５に示すように、上下の縁部が折り返されて溝５０ａが形成された剛性プラスチック板５０と、上記上下の溝５０ａを介して着脱自在に保持される宣伝広告用の印刷物５１とで構成されるＰＯＰ用のパネル等であっても差し支えない。あるいは、図６（ａ）に示すように、台紙５２の表面に、薄型の商品小物（パフやフェイスマスク等の商品や、薄型のサンプル等）５３を貼付して陳列するものであってもよいし、図６（ｂ）に示すように、背面部５４と底面部５５と、周縁に立設するガイド部５６とを備えた小型の陳列棚であって、底面部５５の上に、テスターや軽量の小型商品を載置して陳列する構成のものであってもよい。
【００２１】
また、上記の例では、本体１１を厚紙で形成し、係合用ガイド１２を可撓性のプラスチックシートで形成しているが、本体１１も可撓性のプラスチックシートで形成してもよい。その場合、例えば図７に示すように、本体１１の背面部１１ａの上端縁から上方に、係合用ガイド１２を曲成しうる長さの延長部を設け、この延長部の一部を、背面部１１ａに沿って下向きに折り返して重なり部１１ｃを形成し、残部を用いて、上記の例と同様、取り付け面部１３、下り傾斜面部１５等を形成するようにしても差し支えない。
【００２２】
さらに、上記陳列具を取り付ける相手となる凹状溝３２の断面形状も、どのような形状になっていてもよく、例えば図８（ａ）〜（ｃ）の３２ａ〜３２ｃに示すような、各種の断面形状のものに係合させることができる。そして、上記凹状溝３２等を備えたベース台としては、上記の例のように、プライスレール３１であってもよいし、他のものであっても差し支えない。例えば、棚板の前端面自体に凹状溝を形成したものであってもよいし、あるいは、陳列用に専用の凹状溝が上下に平行に多数本形成されているような、陳列専用ボードや陳列用壁面等であってもよい。
【００２３】
【発明の効果】
以上のように、本発明の陳列具は、陳列物を保持するための本体裏面側に設けられた係合用ガイドが、一枚の帯状プラスチックシートを水平な折り目で曲成した特殊な形状になっているため、陳列具全体を、棚板の前端面等に安定的に保持することができる。そして、取り付けられた陳列具が、取り付けられた相手よりも手前に突出した状態となるため、その取り付け相手側に陳列されたメイン商品との関連性を、顧客に強くアピールすることができる。また、陳列具の本体に保持された陳列品を手前に取り出しやすく、その取り出し動作によっても、陳列具の位置がずれたりすることがないため、整然とした陳列形態を長期にわたって保持することができる。
【図面の簡単な説明】
【図１】本発明の一実施例を示す斜視図である。
【図２】上記実施例が取り付けられた状態を示す側面図である。
【図３】（ａ），（ｂ）はともに上記実施例の取り付け方法の説明図である。
【図４】上記実施例が取り付けられた状態を示す斜視図である。
【図５】上記実施例における本体の変形例の説明図である。
【図６】（ａ），（ｂ）はともに上記実施例における本体の他の変形例の説明図であ  る。
【図７】本発明の他の実施例を説明する縦断面図である。
【図８】（ａ），（ｂ），（ｃ）はいずれも上記実施例を取り付ける凹状溝の変形例の説明図である。
【図９】従来の陳列具の使用形態の説明図である。
【符号の説明】
１１  本体
１１ａ  背面部
１２  係合用ガイド
１３  取り付け面部
１５  下り傾斜面部
１７  第１の折り返し面部
１９  第２の折り返し面部
２１  第３の折り返し面部
【図１】
0003822446.tif 000002
【図２】
0003822446.tif 000003
【図３】
0003822446.tif 000004
【図４】
0003822446.tif 000005
【図５】
0003822446.tif 000006
【図６】
0003822446.tif 000007
【図７】
0003822446.tif 000008
【図８】
0003822446.tif 000009
【図９】
0003822446.tif 000010